(57)【要約】【課題】停電時に便器洗浄を良好に実行することができる水洗式大便器を提供する。【解決手段】水洗式便器は、便鉢部１１を有する便器本体１０と、人体検知センサー３２Ａ、局部洗浄装置３１、暖房便座２１等の便器本体１０に取り付けられ、商用電源Ｐを電源として駆動する便器装置３０と、電池５５を電源として駆動し、便鉢部１１に洗浄水を供給する便器洗浄装置５０とを備えている。【選択図】図１
2013087503.tif 000002
【特許請求の範囲】
【請求項１】
便鉢部を有する便器本体と、
人体検知センサー、局部洗浄装置、暖房便座等の前記便器本体に取り付けられ、商用電源を電源として駆動する便器装置と、
電池を電源として駆動し、前記便鉢部に洗浄水を供給する便器洗浄装置とを備えていることを特徴とする水洗式大便器。
【請求項２】
前記電池は二次電池であり、この電池を充電する発電機を備えていることを特徴とする請求項１記載の水洗式大便器。
【請求項３】
前記電池を商用電源から充電することができる充電回路を備えていることを特徴とする請求項２記載の水洗式大便器。
【請求項４】
前記充電回路は前記電池を設定した時間帯に充電することを特徴とする請求項３記載の水洗式大便器。
【請求項５】
前記充電回路の前記電池への充電をＯＮ−ＯＦＦする充電スイッチを備えていることを特徴とする請求項３記載の水洗式便器。
【発明の詳細な説明】
【技術分野】
【０００１】
本発明は水洗式大便器に関する。
【背景技術】
【０００２】
特許文献１は従来の水洗式大便器を開示している。この水洗式大便器は、洗浄水を貯留する洗浄タンクと、この洗浄タンクに貯留した洗浄水を便器本体に送水する加圧ポンプとを有する便器洗浄装置を備えている。この便器洗浄装置は、加圧ポンプの動作中に停電になると、その回転部の慣性力による回転によって、便器本体の封水部を水封するために必要な水量の洗浄水を便器本体に送水することができる。
【０００３】
このため、この水洗式大便器は、便器洗浄を実行している途中に停電になっても、便鉢部の封水部を水封することができる。これによって、この水洗式大便器は封水部より下流側から便鉢部側に臭気が逆流することを防止することができる。
【先行技術文献】
【特許文献】
【０００４】
【特許文献１】特開２００８−１７４９４４号公報
【発明の概要】
【発明が解決しようとする課題】
【０００５】
しかし、特許文献１の水洗式大便器は、便器洗浄を実行している途中に停電になった場合、封水部を水封するために洗浄水を便器本体に送水する便器洗浄装置を備えているものであって、停電時に通常の便器洗浄を実行することはできない。
【０００６】
本発明は、上記従来の実情に鑑みてなされたものであって、停電時に便器洗浄を良好に実行することができる水洗式大便器を提供することを解決すべき課題としている。
【課題を解決するための手段】
【０００７】
本発明の水洗式便器は、便鉢部を有する便器本体と、
人体検知センサー、局部洗浄装置、暖房便座等の前記便器本体に取り付けられ、商用電源を電源として駆動する便器装置と、
電池を電源として駆動し、前記便鉢部に洗浄水を供給する便器洗浄装置とを備えていることを特徴とする。
【０００８】
この水洗式大便器は、停電時であっても、便器洗浄装置が電池を電源として駆動することができるため、便器本体の便鉢部に洗浄水を供給することができる。また、便器装置は商用電源を電源とし、便器洗浄装置の電源である電池と切り離されているため、電池が便器洗浄装置の駆動以外に使用されない。このため、電池の電気消耗が少なく、停電時でも、繰り返し便器洗浄装置を駆動することができる。
【０００９】
したがって、本発明の水洗式大便器は、停電時に便器洗浄を良好に実行することができる。
【００１０】
前記電池は二次電池であり、この電池を充電する発電機を備え得る。この場合、発電機によって電池を充電することができるため、電池交換の手間を殆どなくすことができる。また、発電機を便器洗浄装置の駆動によって便鉢部に供給される洗浄水の水流を利用して発電するものにすれば、便鉢部に洗浄水を供給する際に自動的に電池を充電することができる。
【００１１】
前記電池を商用電源から充電することができる充電回路を備え得る。この場合、電池の充電量が下がりすぎてしまうことを防止することができる。このため、便器洗浄装置が電池を電源として確実に駆動することができるため、便器洗浄を常に良好に実行することができる。
【００１２】
前記充電回路は前記電池を設定した時間帯に充電し得る。この場合、水洗式大便器の使用頻度が高い時間帯よりも前の時間帯に電池を充電するようにすれば、その後に便器洗浄装置が繰り返し駆動されても電池の充電量の不足を招き難くすることができる。また、夜間の時間帯に電池を充電するようにすれば、安い電気料金で電池を充電することができる。
【００１３】
前記充電回路の前記電池への充電をＯＮ−ＯＦＦする充電スイッチを備え得る。この場合、任意に電池を充電することができる。
【図面の簡単な説明】
【００１４】
【図１】実施例１の水洗式大便器の概念図である。
【図２】実施例２の水洗式大便器の概念図である。
【発明を実施するための形態】
【００１５】
本発明の水洗式大便器を具体化した実施例１及び２について、図面を参照しつつ説明する。
【００１６】
＜実施例１＞
実施例１の水洗式大便器は、図１に示すように、便鉢部１１を有する便器本体１０と、便器本体１０に取り付けられた便器装置３０と、便鉢部１１に洗浄水を供給する便器洗浄装置５０とを備えている。
【００１７】
便鉢部１１は、上部周縁に形成され、洗浄水が流れるリム通水路１２を有している。便器本体１０は便鉢部１１の下流側に連通した便器排水路１３を有している。便器本体１０は、リム通水路１２に沿って洗浄水を吐水するリムノズル１４と、便鉢部１１の下端に設けられ、便器排水路１３に向けて洗浄水を吐水するジェットノズル１５とを有している。リムノズル１４は上流側にリム用給水路１６が連結しており、ジェットノズル１５は上流側にジェット用給水路１７が連結している。リム用給水路１６の上流端とジェット用給水路１７の上流端とは合流しており、給水圧を有する給水源１８に連通している。
【００１８】
水洗式大便器は、便器本体１０の後部上面に取り付けた便座ボックス２０と、便座ボックス２０の前面に回動自在に軸支した暖房便座２１及び便蓋２２とを備えている。暖房便座２１は着座面の内側に面状ヒーターが貼付されている。この面状ヒーターは商用電源Ｐを電源として発熱する。これによって、暖房便座２１は着座面を暖かくすることができる。
【００１９】
また、水洗式大便器は、便座ボックス２０内に収納した局部洗浄装置３１、及び便器洗浄装置５０を備えている。局部洗浄装置３１は操作ボタンを設けたリモートコントローラー３１Ａを有している。リモートコントローラー３１Ａの操作ボタンを操作すると、リモートコントローラー３１Ａから局部洗浄装置３１に操作信号が送信される。局部洗浄装置３１は、商用電源Ｐを電源としており、リモートコントローラー３１Ａから送信された操作信号に応じて駆動する。
【００２０】
便器洗浄装置５０は、リム用給水路１６に設けたリム用開閉弁５１と、ジェット用給水路１７に設けたジェット用開閉弁５２と、リム用開閉弁５１及びジェット用開閉弁５２に開閉信号を送信する制御装置５３とを有している。また、便器洗浄装置５０は、リム用給水路１６に設けられ、リム用給水路１６内の水流によって発電する発電機５４と、発電機５４が発電した電気を蓄電するリチウムイオン二次電池５５とを有している。便器洗浄装置５０は、リチウムイオン二次電池５５に蓄えた電気を利用して、制御装置５３、リム用開閉弁５１、及びジェット用開閉弁５２を駆動する。さらに、便器洗浄装置５０は便器洗浄を実行させる操作ボタン５６を有している。
【００２１】
便器洗浄装置５０は、操作ボタン５６が操作されると、制御装置５３が所定の洗浄パターンに応じてリム用開閉弁５１、及びジェット用開閉弁５２に開閉信号を送信し、便器洗浄を実行する。洗浄パターンの一例として、先ず、リムノズル１４から洗浄水を吐水するリム洗浄を実行し、その後にジェットノズル１５から洗浄水を吐水するジェット洗浄を実行し、さらにその後に、リムノズル１４から洗浄水を吐水するリム洗浄を実行するというものが挙げられる。つまり、便器洗浄は、最初のリム洗浄で便鉢部１１の表面を洗浄するとともに便鉢部１１内の洗浄水の水位を上昇させ、その後のジェット洗浄で便器排水路１３内にサイホン作用を発生させて便鉢部１１内の汚物等を排出し、さらにその後のリム洗浄で便鉢部１１内に水封を形成する。
【００２２】
水洗式大便器は、便器洗浄装置５０に便器洗浄を実行させる自動洗浄装置３２を備えている。自動洗浄装置３２は商用電源Ｐを電源としている。自動洗浄装置３２は便器本体１０に近づく使用者を検知する人体検知センサー３２Ａを有している。自動洗浄装置３２は、使用者が水洗式便器を使用した後、便器本体１０から離れるのを人体検知センサー３２Ａが検知すると、便器洗浄を実行するように便器洗浄信号を便器洗浄装置５０の制御装置５３へ送信する。便器洗浄信号を受信した便器洗浄装置５０の制御装置５３は、所定の洗浄パターンに応じてリム用開閉弁５１、及びジェット用開閉弁５２に開閉信号を送信し、便器洗浄を実行する。
【００２３】
また、局部洗浄装置３１のリモートコントローラー３１Ａは便器洗浄ボタンを設けている。この便器洗浄ボタンが押されると、局部洗浄装置３１を介して、便器洗浄装置５０の制御装置５３に便器洗浄信号が送信される。この場合も、便器洗浄信号を受信した便器洗浄装置５０の制御装置５３は、所定の洗浄パターンに応じてリム用開閉弁５１、及びジェット用開閉弁５２に開閉信号を送信し、便器洗浄を実行する。
【００２４】
この水洗式大便器において、暖房便座２１、局部洗浄装置３１、及び自動洗浄装置３２が便器装置３０に該当する。
【００２５】
このような構成を有する水洗式大便器は、非停電時は、自動洗浄装置３２、又は局部洗浄装置３１のリモートコントローラー３１Ａに設けられた便器洗浄ボタンを操作することによって、便器洗浄を実行することができる。一方、停電時は、便器洗浄装置５０の操作ボタン５６を操作することによって、便器洗浄を実行することができる。この際、リチウムイオン二次電池５５に蓄えた電気を利用して、便器洗浄装置５０である制御装置５３、リム用開閉弁５１、及びジェット用開閉弁５２が駆動される。リチウムイオン二次電池５５は、便器装置３０である暖房便座２１、局部洗浄装置３１、及び自動洗浄装置３２とは切り離されているため、便器洗浄装置５０の駆動以外に使用されない。このため、リチウムイオン二次電池５５の電気消耗が少なく、停電時でも繰り返し便器洗浄装置５０を駆動することができる。
【００２６】
したがって、実施例１の水洗式大便器は、停電時に便器洗浄を良好に実行することができる。
【００２７】
また、リチウムイオン二次電池５５は、リム用給水路１６に設けられ、リム用給水路１６内の水流によって発電する発電機５４によって充電することができる。このため、便器洗浄の際に自動的にリチウムイオン二次電池５５を充電することができる。また、電池交換の手間を殆どなくすことができる。
【００２８】
＜実施例２＞
実施例２の水洗式大便器は、図２に示すように、リチウムイオン二次電池５５を商用電源Ｐから充電することができる充電回路３３を備えている点で実施例１の水洗式大便器と相違する。実施例１と同一の構成は同一の符号を付し、詳細な説明を省略する。
【００２９】
この水洗式大便器は、リチウムイオン二次電池５５を充電することができる充電回路３３を局部洗浄装置３１、及び自動洗浄装置３２に備えている。これら充電回路３３は、夜間の時間帯、例えば、午前３時から午前５時の間、リチウムイオン二次電池５５を充電するように設定されている。
【００３０】
このため、水洗式大便器の使用頻度が高い朝の時間帯の前にリチウムイオン二次電池５５を満充電の状態にすることができるため、その後に便器洗浄装置５０が繰り返し駆動されてもリチウムイオン二次電池５５の充電量の不足を招き難くすることができる。このように、リチウムイオン二次電池５５の充電量が下がりすぎてしまうことを防止することができるため、便器洗浄装置５０を確実に駆動することができ、便器洗浄を常に良好に実行することができる。また、夜間の時間帯であるため、安い電気料金でリチウムイオン二次電池５５を充電することができる。
【００３１】
局部洗浄装置３１のリモートコントローラー３１Ａは充電回路３３のリチウムイオン第２電池５５への充電をＯＮ−ＯＦＦする充電スイッチを設けている。充電スイッチをＯＮにすることによって、局部洗浄装置３１の充電回路３３がリチウムイオン二次電池５５を充電することができる。このように、この水洗式大便器は、任意にリチウムイオン二次電池５５を充電することができる。
【００３２】
このような構成を有する水洗式大便器は、非停電時は、自動洗浄装置３２、又は局部洗浄装置３１のリモートコントローラー３１Ａに設けられた便器洗浄ボタンを操作することによって、便器洗浄を実行することができる。一方、停電時は、便器洗浄装置５０の操作ボタン５６を操作することによって、便器洗浄を実行することができる。この際、リチウムイオン二次電池５５に蓄えた電気を利用して、便器洗浄装置５０である制御装置５３、リム用開閉弁５１、及びジェット用開閉弁５２が駆動される。リチウムイオン二次電池５５は、便器装置３０である暖房便座２１、局部洗浄装置３１、及び自動洗浄装置３２とは切り離されているため、便器洗浄装置５０の駆動以外に使用されない。このため、リチウムイオン二次電池５５の電気消耗が少なく、停電時でも繰り返し便器洗浄装置５０を駆動することができる。
【００３３】
したがって、実施例２の水洗式大便器も、停電時に便器洗浄を良好に実行することができる。
【００３４】
本発明は上記記述及び図面によって説明した実施例に限定されるものではなく、例えば次のような実施例も本発明の技術的範囲に含まれる。
（１）実施例１及び２では、リチウムイオン二次電池を便器洗浄装置の電源としていたが、他の二次電池や大容量コンデンサーを便器洗浄装置の電源としてもよい。
（２）実施例１及び２では、リチウムイオン二次電池を便器洗浄装置の電源としていたが、一次電池を便器洗浄装置の電源としてもよい。この場合、電池を充電する発電機は不要となる。
（３）実施例１及び２では、リム用給水路に発電機を設けていたが、ジェット用給水路に発電機を設けてもよい。この場合、発電機をリム用給水路及びジェット用給水路の夫々に設けてもよいし、ジェット用給水路のみに設けてもよい。
（４）実施例１及び２では、リム用給水路内の水流によって発電する発電機を備えていたが、他の手段で発電する発電機であってもよい。
（５）実施例１及び２では、便器装置として、暖房便座、局部洗浄装置、自動洗浄装置を備えていたが、これらのうち少なくとも一つを備えていればよい。また、これらと同等の便器装置を備えていてもよい。
（６）実施例２では、夜間の時間帯にリチウムイオン二次電池を充電するようにしたが、他の時間帯にリチウムイオン二次電池を充電してもよい。
（７）実施例２では、局部洗浄装置及び自動洗浄装置に充電回路を備えたが、一方のみに充電回路を備えてもよい。
（８）実施例２では、局部洗浄装置のリモートコントローラーに充電スイッチを設けたが、充電スイッチを設けなくてもよい。
【符号の説明】
【００３５】
１０…便器本体
１１…便鉢部
３０…便器装置（２１…暖房便座、３１…局部洗浄装置、３２Ａ…人体検知センサー）
３３…充電回路
５０…便器洗浄装置
５４…発電機
５５…リチウムイオン二次電池（電池）
Ｐ…商用電源
【図１】
2013087503.tif 000003
【図２】
2013087503.tif 000004